(57)【要約】【課題】液晶表示パネルに蓄積される電荷を速やかに逃がし、静電気に起因する聴感ノイズの発生や画像の乱れを有効に防止する。【解決手段】ＡＲ基板１とＣＦ基板２との間に液晶４を挟持する液晶表示パネル１０と、ＡＲ基板１とＣＦ基板２の外表面上に形成すると共にアース接続されている透明導電膜１３ａ，１３ｂとを備えており、液晶表示パネル１０に蓄積される電荷が透明導電膜１３ａ，１３ｂを介して逃がす。その結果、ＡＲ基板１とＣＦ基板２との表面の静電気が除去されるため聴感ノイズの発生や画像の乱れを有効に防止することができる。【選択図】図２
2008233853.tif 000002
【特許請求の範囲】
【請求項１】
一対の基板の間に電気光学物質を挟持する表示パネルと、
前記一対の基板のそれぞれの基板の外表面上に形成すると共にアース接続されている透明導電膜とを備え、
前記一対の基板は、共通電極および画素電極が配置されている一方の基板と、
前記共通電極および前記画素電極の配置されていない他方の基板とからなることを特徴とする電気光学装置。
【請求項２】
一対の基板間に電気光学物質を挟持する表示パネルと、
前記表示パネルの表示面側を覆う透明カバー部材と、
前記一対の基板のうち前記透明カバーに覆われない側の基板の外表面と前記透明カバー部材の外表面と内表面との少なくとも一方の面の表面とに形成すると共にアース接続されている透明導電膜とを備えていることを特徴とする電気光学装置。
【請求項３】
前記透明導電膜が、前記一方の基板の外表面に対向する内面の少なくとも一部に接続されていることを特徴とする請求項１または２に記載の電気光学装置。
【請求項４】
前記表示パネルと前記透明カバー部材とが接着剤を介して一体化されていることを特徴とする請求項２または３に記載の電気光学装置。
【請求項５】
請求項１〜４のいずれか一項に記載の電気光学装置を表示部に備えることを特徴とする電子機器。
【請求項６】
一対の基板の間に電気光学物質を挟持する表示パネルと、
前記一対の基板のそれぞれの基板の外表面上に形成された透明導電膜と、
前記表示パネルを収容する筐体と、を含み、
前記表示パネルが筐体に形成された観察窓に装着されて収容された状態において、それぞれの前記透明導電膜が前記筐体を介してアース接続されることを特徴とする電子機器。
【請求項７】
一対の基板間に電気光学物質を挟持する表示パネルと、
前記表示パネルの表示面側を覆う透明カバー部材と、
前記一対の基板のうち前記透明カバーに覆われない側の基板の外表面と前記透明カバー部材の外表面と内表面との少なくとも一方の面の表面とに形成された透明導電膜と、
前記表示パネルを収容する筐体と、を含み、
前記透明カバー部材が筐体に形成された観察窓に装着されて収容された状態において、それぞれの前記透明導電膜が前記筐体を介してアース接続されることを特徴とする電子機器。
【請求項８】
前記一対の基板が、内面に共通電極および画素電極が配置されている一方の基板と内面に電極の配置されていない他方の基板とからなることを特徴とする請求項６または７に記載の電子機器。
【発明の詳細な説明】
【技術分野】
【０００１】
本発明は、表示パネル上に蓄積される電荷を効率よく逃がすことができるようにした電気光学装置、および電子機器に関する。
【背景技術】
【０００２】
周知のように、この種の電気光学装置の代表である液晶装置は、携帯電話機を代表とする移動体端末やモニタの表示部に広く採用されている。この液晶装置として横電界方式を採用するものが知られている。横電界方式は、液晶に印加する電界の方向を基板に略平行とする方式であり、ＴＮ（Twisted Nematic）方式などと比較して視覚特性の向上を図ることができるという利点がある。尚、横電界方式の液晶装置としては、ＩＰＳ（In-Plane Switching）方式、又は、ＦＦＳ（Fringe Field Switching）方式といったものが知られている。
【０００３】
この横電界方式の液晶装置では、２枚の基板に液晶を挟持してなる構造を有し、一方の基板に櫛歯形状の画素電極と、その画素電極との間で横電界を発生させる共通電極とを設け、液晶分子に対して横方向から電界を加えることにより液晶分子の配向を制御する構成を有している。このように、横電界方式の液晶装置は、一方の基板のみが電極を有しているため、他方の基板側は誘電体となり、例えば液晶装置が組み込まれている筐体との間の摩擦、或いは外部からの静電気等の影響で電荷が蓄積し易い。この他方の基板側に蓄積した電荷は、導電性を有する物体（例えば観察者の手）が近接し、或いは接触すると放出され、聴感ノイズが発生するばかりでなく、基板表面に静電気が帯電している場合には、この静電気が誘因となって画像の乱れが発生する。
【０００４】
この対策として、例えば特許文献１では、電極の形成されていない基板の外表面側に導電膜を形成し、この導電膜とフレームとを電気的に接続させることで、電極の形成されていない基板側に蓄積される電荷を逃がすようにした技術が開示されている。
【０００５】
【特許文献１】特許第２７５８８６４号公報
【発明の開示】
【発明が解決しようとする課題】
【０００６】
ところで、横電界方式の液晶装置を移動体端末の表示部に取付ける場合、図１３に示す従来の液晶装置の要部拡大断面図のように、移動体端末の筐体４００に開口されている観察窓４００ａに、カバーガラス４０１を取付け、液晶表示パネル４０２の表示面をその下方に配設することで、当該表示面を保護する構造となっている。
【０００７】
この場合、カバーガラス４０１の裏面を液晶表示パネル４０２の外表面に枠状に塗布した接着剤４０３を介して接着させることで、カバーガラス４０１と液晶表示パネル４０２とを一体化したものも知られている。尚、液晶表示パネル４０２は、対向する一対の基板４０４，４０５を有し、両基板４０４，４０５の対向面がシール材４０７を介して貼り合わされており、両基板４０４，４０５間に液晶４が挟持されている。尚、符号４０６ａ，４０６ｂは偏光板である。
【０００８】
一般に、この種のカバーガラス４０１は、軽量で、加工性が良く、しかも、耐衝撃性に優れたアクリル樹脂やポリカーボネート樹脂などの透明樹脂の射出成形品が多く採用されている。樹脂製のカバーガラス４０１は誘電体であるため、このカバーガラス４０１の表裏面に電荷が蓄積し易い。
【０００９】
このカバーガラス４０１の表裏面に蓄積された電荷は、導電性を有する物体（例えば観察者の手）の近接、或いは接触により放電されるが、その際、聴感ノイズが発生する場合がある。このカバーガラス４０１の表裏面には電荷が繰り返し蓄積されるため、静電気に起因する聴感ノイズの発生頻度は比較的多く、その都度、観察者に不快感を与えてしまう不都合がある。
【００１０】
本発明は、上記事情に鑑み、静電気に起因する聴感ノイズの発生を有効に防止して、観察者に不快感を与えることが無くなるばかりでなく、基板表面に帯電する静電気を除去して画像の乱れを有効に防止することのできる電気光学装置、および電子機器を提供することを目的の一つとする。
【課題を解決するための手段】
【００１１】
［適用例１］本適用例にかかる電気光学装置は、一対の基板の間に電気光学物質を挟持する表示パネルと、前記一対の基板のそれぞれの基板の外表面上に形成すると共にアース接続されている透明導電膜とを備え、前記一対の基板は、共通電極および画素電極が配置されている一方の基板と、前記共通電極および前記画素電極の配置されていない他方の基板とからなることを特徴とする。
【００１２】
このような構成では、表示パネルを構成する一対の基板の外表面に透明導電膜を形成し、各透明導電膜をアース接続したので、この透明導電膜を介して両基板表面に蓄積される電荷を逃がすことができる。その結果、導電性を有する物体が少なくとも一方の基板の外表面上に近接し、或いは接触しても電荷が放電することがなく、静電気に起因して発生する聴感ノイズが防止されて観察者に不快感を与えることが無くなるばかりでなく、基板表面に帯電する静電気が除去されるので、画像の乱れを有効に防止することができる。
そして、特に、電極の配置されていない他方の基板に蓄積される電荷を、透明導電膜を介して逃がすことができるため、導電性を有する物体が表示パネルに近接し、或いは接触しても電荷が放電することがなく、静電気に起因する聴感ノイズの発生が防止されて、観察者に不快感を与えることが無くなる。更に、基板に帯電する静電気が除去されるので、画像の乱れも有効に防止することもできる。
【００１３】
［適用例２］上記適用例にかかる電気光学装置は、一対の基板間に電気光学物質を挟持する表示パネルと、前記表示パネルの表示面側を覆う透明カバー部材と、前記一対の基板のうち前記透明カバーに覆われない側の基板の外表面と前記透明カバー部材の外表面と内表面との少なくとも一方の面の表面とに形成すると共にアース接続されている透明導電膜とを備えていることを特徴とする。
【００１４】
このような構成では、表示パネルのうち透明カバー部材に覆われない側の基板の外表面と、透明カバー部材の外表面と内表面との少なくとも一方の面の表面とに透明導電膜を形成すると共に、この透明導電膜をアース接続したので、透明カバー部材および透明カバー部材に覆われてない側の基板表面に蓄積される電荷を、透明導電膜を介して逃がすことができる。その結果、導電性を有する物体が、透明カバー部材或いは透明カバー部材に覆われていない側の基板の外表面上に近接し、或いは接触しても電荷が放電することがなく、聴感ノイズの発生が防止されて、観察者に不快感を与えることがなくなるばかりでなく、基板表面に帯電する静電気が除去されるので画像の乱れも有効に防止することができる。
【００１５】
［適用例３］上記適用例にかかる電気光学装置は、前記透明導電膜が、前記一方の基板の外表面に対向する内面の少なくとも一部に接続されていることを特徴とする。
【００１６】
このような構成では、表示パネルのうち透明カバー部材に覆われない側の基板の外表面だけに限らず、この外表面に対向する内面に、蓄積される電荷を、透明導電膜を介して逃がすことができる。このため、静電気に起因する聴感ノイズの発生を防止し、画像の乱れを防止するという上述の効果を更に向上させることができる。
【００１７】
［適用例４］上記適用例にかかる電気光学装置は、上記記載の電気光学装置において、前記表示パネルと前記透明カバー部材とが接着剤を介して一体化されていることを特徴とする。
【００１８】
このような構成では、表示パネルと透明カバー部材とが接着剤を介して一体化されているので、組立が容易になる。
【００１９】
［適用例５］本適用例にかかる電子機器は、上記記載の電気光学装置を表示部に備えることを特徴とする。
電子機器の表示部に導体が近接し、或いは接触しても電荷が放電することがなく、静電気に起因する聴感ノイズの発生が防止されて観察者に不快感を与えることが無くなるばかりでなく、基板表面に帯電する静電気が除去されるので画像の乱れを有効的に防止することができる。
【００２０】
［適用例６］上記適用例にかかる電子機器は、一対の基板の間に電気光学物質を挟持する表示パネルと、前記一対の基板のそれぞれの基板の外表面上に形成された透明導電膜と、前記表示パネルを収容する筐体とを含み、前記表示パネルが筐体に形成された観察窓に装着されて収容された状態において、それぞれの前記透明導電膜が前記筐体を介してアース接続されることを特徴とする。
【００２１】
このような構成では、筐体に形成した観察窓に表示パネルを装着して収容すると、この表示パネルを構成する一対の基板のそれぞれの外表面に形成した透明導電膜が筐体を介してアース接続されるので、導電性を有する物体が基板の外表面上に近接し、或いは接触しても放電することがなく、静電気に起因する聴感ノイズの発生が防止されて観察者に不快感を与えることが無くなるばかりでなく、基板表面に帯電する静電気が除去されるので画像の乱れも防止することができる。
【００２２】
［適用例７］上記適用例にかかる電子機器は、一対の基板間に電気光学物質を挟持する表示パネルと、前記表示パネルの表示面側を覆う透明カバー部材と、前記一対の基板のうち前記透明カバーに覆われない側の基板の外表面と前記透明カバー部材の外表面と内表面との少なくとも一方の面の表面とに形成された透明導電膜と、前記表示パネルを収容する筐体と、を含み、前記透明カバー部材が筐体に形成された観察窓に装着されて収容された状態において、それぞれの前記透明導電膜が前記筐体を介してアース接続されることを特徴とする。
【００２３】
このような構成では、表示パネルを筐体に形成されている観察窓に装着して収容すると、表示パネルのうち透明カバー部材に覆われない側の基板の外表面と、透明カバー部材の外表面と内表面との少なくとも一方の面の表面とに形成されている透明導電膜が筐体を介してアース接続されるので、表示パネル、および透明カバー部材に蓄積される電荷を、透明導電膜を介して逃がすことができる。その結果、導電性を有する物体が、透明カバー部材に近接し、或いは接触しても電荷が放電することがなく、静電気に起因する聴感ノイズの発生が防止されて観察者に不快感を与えることが無くなる。更に、基板表面に帯電する静電気が除去されるので画像の乱れも防止することができる。
【００２４】
［適用例８］上記適用例にかかる電子機器は、前記一対の基板が、内面に共通電極および画素電極が配置されている一方の基板と内面に電極の配置されていない他方の基板とからなることを特徴とする。
【００２５】
このような構成では、特に、内面に電極の配置されていない他方の基板に蓄積される電荷が、透明導電膜を介して逃がすことで、他方の基板に帯電する静電気が除去されるため、静電気に起因する聴感ノイズの発生を防止するばかりでなく、基板表面に帯電する静電気が除去されるので画像の乱れも有効に防止することができる。
【発明を実施するための最良の形態】
【００２６】
以下、図面に基づいて本発明の実施形態を説明する。
【００２７】
［第１実施形態］
図１〜図４には第１実施形態の液晶装置が示されている。まず、図１、図２を用いて液晶装置の構成について説明する。ここで、図１は液晶装置の平面図、図２は図１のＡ−Ａ’断面図であり、図３は図１のＢ−Ｂ’断面図である。図４は液晶装置のサブ画素を示し、（ａ）はその断面図、（ｂ）はその平面図である。
【００２８】
電気光学装置の代表である液晶装置１００は、表示パネルである液晶表示パネル１０を有し、この液晶表示パネル１０の図面下側にバックライト照明装置２０が配設されている（図２参照）。尚、図１の一点鎖線で囲まれた領域は、後述する移動体端末の筐体２００に開口されている観察窓２００ａの領域である。
【００２９】
図２に示すように、バックライト照明装置２０は、導光板１１と光源部１５と、導光板１１の液晶表示パネル１０側に対して反対側に配設されている反射シート１４とを有している。光源部１５は、導光板１１の端面に配置されており、内部に複数のＬＥＤで構成された照明用光源１６を備えている。この照明用光源１６から出射された照明光は、導光板１１の端面より導光板１１内へ導かれ、導光板１１の上下面の間で反射を繰り返すことで方向を変えて、液晶表示パネル１０側へ出射される。従って、本実施形態による液晶表示パネル１０はＣＦ基板２の外表面側が表示面側となる。尚、導光板１１は、液晶表示パネル１０の表示面積と略同一か、それよりもやや大きい発光面積を有している。
【００３０】
又、液晶表示パネル１０は、一対の基板として、互いに対向する一対のガラス製等の透明基板１，２を有し、両透明基板１，２がシール材３を介して貼り合わされ、両透明基板１，２とシール材３とで囲まれた領域に液晶４を挟持するセル構造を有している。尚、後述するように図４を参照して、一方の基板としての透明基板１には画素電極８が所定に配列されており、又他方の基板としての透明基板２の内面には着色画素６が形成されているため、以下においては、便宜的に、透明基板１をアレイ（ＡＲ）基板１、透明基板２をカラーフィルタ（ＣＦ）基板２と称する。
【００３１】
ＡＲ基板１はＣＦ基板２よりもやや大きく形成されており、その一側に張出し部３０を有している。更に、ＡＲ基板１の外表面（図２の下面）、およびＣＦ基板２の外表面（図２の上側）に偏光板１２ａ，１２ｂが各々貼り付けられている。
【００３２】
一方、ＡＲ基板１の張出し部３０には、所定にパターンニングされた配線１ａが形成されており、この配線１ａ上に、液晶駆動用ＩＣドライバ（以下、「ドライバＩＣ」と称する）２１がＣＯＧ（Chip On Glass）技術により直接電気的に接続されている。更に、この張出し部３０の端部に、フレキシブル基板（FPC：Flexible Printed Circuit）２２の一端が接続されている。尚、ドライバＩＣ２１に設けられている一部の端子は張出し部３０上に形成された配線１ａを通じて、ＦＰＣ２２に電気的に接続されている。
【００３３】
更に、ＣＦ基板２に貼り付けられている偏光板１２ｂの上面に、透明カバー部材としての透明樹脂製のカバーガラス１７が透明接着層１８を介して貼り付けられている。液晶表示パネル１０の表示面はカバーガラス１７に覆われて保護されていると共に、本実施形態ではカバーガラス１７と液晶表示パネル１０とが透明接着層１８を介して一体化されている。
【００３４】
又、上述したＡＲ基板１の外表面（図２の下面）、およびカバーガラス１７の外表面（図２の上面）の全体に透明導電膜１３ａ，１３ｂが各々形成されている。この透明導電膜１３ａ，１３ｂを形成する方法は種々のものが考えられる。例えばＩＴＯ（Indium-Tin-Oxide）等の透明導電部材を用いてスパッタ法、蒸着法、ＣＶＤ法、スピンコート法等により成膜したり、或いは透明導電樹脂を印刷により塗布することで表面コーティングしたり、或いは液滴吐出手段を用いて塗布することで形成する等が考えられる。
【００３５】
この透明導電膜１３ａ，１３ｂは、携帯電話機を代表とする移動体端末の筐体２００側に接地される。透明導電膜１３ａ，１３ｂの筐体２００に対する接地方法は種々のものが考えられる。
図３に、その一例を示す。図３においては、筐体２００に形成されている観察窓２００ａの内面に段部２００ｂが形成され、この段部２００ｂの表面に導電膜２００ｃが形成されており、この導電膜２００ｃが、筐体２００内に設けられたアース回路（図示せず）に電気的に接続されている。
【００３６】
一方、カバーガラス１７の外表面の外周には、観察窓２００ａの段部２００ｂに係合する段部１７ａが形成されている。観察窓２００ａにカバーガラス１７を、筐体２００の内部から取付けると、互いの段部２００ｂ，１７ａが係合して位置決めされると共に、カバーガラス１７の段部１７ａに形成されている透明導電膜１３ｂが、筐体２００側の段部２００ｂに形成されている導電膜２００ｃと面接触してアース接続される。
【００３７】
又、ＡＲ基板１の外表面に形成された透明導電膜１３ａは張出し部３０まで延出されており、この張出し部３０に露呈されている透明導電膜１３ａに対し、筐体２００から延出する導電プレート２００ｄが面接触される。この導電プレート２００ｄは筐体２００内に設けられたアース回路（図示せず）に接続されている。尚、透明導電膜１３ａを接地する構造は、上述した以外に、例えば導電テープを介してＡＲ基板１に形成されているアース端子やＦＰＣ２２に設けられているアース線に電気的に接続するようにしても良い。
【００３８】
次に、図４を参照しながら、横電界方式の液晶表示パネル１０の内部構造について簡単に説明する。尚、同図（ａ）は、１つのサブ画素における液晶表示パネル１０の拡大断面図、（ｂ）はその平面図である。
【００３９】
図４には、ＦＦＳ（Fringe Field Switching）方式の液晶表示パネル１０が示されている。同図（ａ）に示すように、ＡＲ基板１の液晶４との界面側の面（対向面、内面）には、ＩＴＯ等の透明導電部材により共通電極５が全面に形成されている。又、この共通電極５上に絶縁層７を介して、ＩＴＯ等の透明導電部材により画素電極８が形成されている。尚、図示しないがＡＲ基板１の対向面の最上層に配向膜が形成されている。
【００４０】
一方、ＣＦ基板２の液晶４との界面側の面（対向面、内面）には、着色画素６が形成されている。又、この対向面の最上層に配向膜９が形成されている。
【００４１】
図４に示すように、画素電極８は、複数の導電部８ａ〜８ｅが一定間隔を開けて櫛歯状に配列されており、この各導電部８ａ〜８ｅが基部側で互いに電気的に接続された一体構造をなしている。液晶表示パネル１０は、この各導電部８ａ〜８ｅと共通電極５との間で横方向の電界（横電界）Ｅを発生させる。
【００４２】
この画素電極８は、ＡＲ基板１の張出し部３０上に形成された配線１ａを通じて、ドライバＩＣ２１の一部の端子と電気的に接続されている。又、共通電極５は、ＡＲ基板１の張出し部３０上に形成された他の配線１ａを通じて、ドライバＩＣ２１の共通電位用端子（ＣＯＭ端子）と電気的に接続されている。
【００４３】
ドライバＩＣ２１は、外部の電子機器からＦＰＣ２２を介して供給された制御信号を基に電界Ｅの大きさを制御する。横電界方式の液晶表示パネル１０では、電界Ｅの大きさを制御することにより、液晶４における液晶分子の配向状態を変化させ、表示画面における階調を変化させる。
【００４４】
このように、本実施形態では、電荷の蓄積し易いカバーガラス１７の表面に透明導電膜１３ｂを形成し、この透明導電膜１３ｂを筐体２００に形成されている導電膜２００ｃに面接触させ、この導電膜２００ｃを介してアース接続するようにしたので、カバーガラス１７、および透明接着層１８に蓄積される電荷を、導電膜２００ｃを介して逃がすことができる。その結果、カバーガラス１７、および透明接着層１８に電荷が蓄積され難くなり、静電気に起因する聴感ノイズの発生を有効に防止することができ、観察者に与える不快感を解消することができる。
【００４５】
更に、本実施形態では、ＡＲ基板１の外表面に透明導電膜１３ａを形成し、この透明導電膜１３ａも筐体２００側のアース回路（図示せず）に導電プレート２００ｄを介して面接触させるようにし、或いは導電テープを介してＡＲ基板１側のアース線と接続するようにして、液晶表示パネル１０全体を、電荷が蓄積し難い構造としたので、ＡＲ基板１およびＣＦ基板２の表面の静電気が除去され、その結果、ＡＲ基板１およびＣＦ基板２の表面の静電気に起因する画像の乱れも有効に防止することができる。
【００４６】
［第２実施形態］
図５に第２実施形態による液晶装置の断面図を示す。本実施形態は上述した第１実施形態の別形態である。第１実施形態による液晶装置１００は、透明導電膜１３ｂをカバーガラス１７の外表面に形成したが、本実施形態による液晶装置１００は、透明導電膜１３ｂをカバーガラス１７の内表面、すなわち、偏光板１２ｂ側に形成したものである。従って、偏光板１２ｂはこの透明導電膜１３ｂに透明接着層１８（図３参照）を介して貼り合わされる。
【００４７】
図５に示すように、カバーガラス１７の外周を、偏光板１２ｂの外周よりも大きく形成すれば、カバーガラス１７の内表面に形成された透明導電膜１３ｂの外周が、偏光板１２ｂの端部から露呈されるため、この露呈された部分を筐体２００内に設けられているアース回路（図示せず）に導電プレート等を介して電気的に接続させることで、この透明導電膜１３ｂを簡単にアース接続させることができ、良好な組立て性を得ることができる。尚、作用効果は上述した第１実施形態と同様であるため説明を省略する。
【００４８】
本実施形態では、透明導電膜１３ｂをカバーガラス１７の内表面に形成した態様を示したが、透明導電膜１３ｂを内表面と外表面との双方に形成し、各透明導電膜１３ｂを筐体２００にアース接続するようにしても良い。
【００４９】
［第３実施形態］
図６に第３実施形態による液晶装置の断面図を示す。本実施形態は上述した第１実施形態の別形態である。液晶装置１００としては、カバーガラスを一体に備えておらず、カバーガラスは筐体２００の観察窓２００ａに別体で固設されているものがある。このような場合、ＣＦ基板２の外表面に貼り付けられている偏光板１２ｂの外表面に透明導電膜１３ｂを形成し、この透明導電膜１３ｂを筐体２００に設けられているアース回路（図示せず）に導電プレート等を介して電気的に接続させる。その結果、この透明導電膜１３ｂを介してＣＦ基板２、および偏光板１２ｂに蓄積される電荷を速やかに逃がし、ＣＦ基板２表面の静電気を除去することができる。このように、第３実施形態においても、静電気に起因する聴感ノイズの発生の防止および画像の乱れの防止をするという上述と同様の効果を得ることができる。
【００５０】
［第４実施形態］
図７に第４実施形態による液晶装置の断面図を示す。本実施形態は、第３実施形態の別形態である。尚、第１から第３実施形態と同様の構成については、同一の符号を付与し、説明を省略する。
【００５１】
第４実施形態による液晶装置１００は、透明導電膜１３ｂが、ＣＦ基板２の外表面に形成されたものである。
【００５２】
この場合、図７に示すように、ＣＦ基板２の外表面、すなわち、ＣＦ基板２と偏光板１２ｂとの間に透明導電膜１３ｂを形成し、この透明導電膜１３ｂを筐体２００に設けられているアース回路（図示せず）に導電プレート等を介して電気的に接続させるようにしても良い。
【００５３】
又、この場合、観察窓２００ａに固設されているカバーガラスの内表面に、第２実施形態と同様の透明導電膜を形成してアース接続しておき、この透明導電膜に対して透明導電膜１３ｂを面接触させることで、この透明導電膜１３ｂをアース接続するようにしても良い。このように、第４実施形態においても、静電気に起因する聴感ノイズの発生を防止するおよび画像の乱れを防止するという上述と同様の効果を得ることができる。
【００５４】
ここで、第１から第４実施形態において、ＣＦ基板２の静電気を除去する手段として、筐体２００に設けられているアース回路（図示せず）に導電プレート２００ｄを介して電気的に接続する構成を説明してきた。しかし、透明導電膜１３ｂをアース接続する手段としては、それに限るものではない。例えば、以下に示すような実施形態が挙げられる。
【００５５】
［第５実施形態］
図８に第５実施形態による液晶装置の平面図を示す。
以下に、透明導電膜１３ｂをアース接続する別手段による第５実施形態について説明する。尚、第１から第４実施形態と同様の構成については、同一の符号を付与し、説明を省略する。
【００５６】
図８に示すように、ＣＦ基板２の透明導電膜１３ｂを、ＡＲ基板１の張出し部３０に形成されたアースパッド１ｂに、導電ペースト１ｃ等を用いて接続する。更に、この張出し部３０の端部に接続されたＦＰＣ２２のアース線に接続しても良い。このように導電ペースト１ｃおよびアースパッド１ｂを経由して、透明導電膜１３ｂは、アース接続される。
【００５７】
このように、第５実施形態では、静電気に起因する聴感ノイズの発生を防止するおよび画像の乱れを防止するという上述と同様の効果を得ることができる。
【００５８】
［第６実施形態］
図９に第６実施形態による液晶装置の断面図を示す。
以下に、第６実施形態について説明する。尚、第１から第５実施形態と同様の構成については、同一の符号を付与し、説明を省略する。
図９に示すように、透明導電膜１３ａ上に、導電テープ１９を配置する。ＡＲ基板１の内面の少なくとも一部であるＡＲ基板１の張出し部３０上に、接続されたＦＰＣ２２の一部を、透明導電膜１３ａが形成されたＡＲ基板１の外表面にまで、配置させる。そして、ＦＰＣ２２に設けられている少なくとも一本のアース線は、導電テープ１９に接続される。
これにより、導電テープ１９と、ＦＰＣ２２に設けられている少なくとも一本のアース線とを経由して、透明導電膜１３ａは、アース接続される。
【００５９】
このように、第６実施形態では、表示パネルのうち透明カバー部材に覆われない側の基板の外表面だけに限らず、この外表面に対向する内面に、蓄積される電荷を、透明導電膜を介して逃がすことができる。このため、静電気に起因する聴感ノイズの発生を防止し、画像の乱れを防止するという上述の効果を、更に向上させることができる。
【００６０】
また、第６実施形態の導電テープ１９およびＦＰＣ２２に設けられている少なくとも一本のアース線を経由して、透明導電膜１３ａをアース接続する変形例として、図１０に示す変形例が挙げられる。
【００６１】
図１０に示すように、配線１ａが形成されたＡＲ基板１の内面の少なくとも一部と、透明導電膜１３ａが形成されたＡＲ基板１の外表面とは、ＡＲ基板１の側面を経由して導電テープ１９により接続される。ここで、ＡＲ基板１の側面は、ＡＲ基板１を構成する面であって、ＡＲ基板１の内面および外表面のいずれにも接している面である。このようにして、この変形例においても、上述の第６実施形態と同様の効果を得ることができる。
【００６２】
［第７実施形態］
図１１に第７実施形態によるバックライト照明装置２０の分解断面図を示す。上述した各実施形態では、液晶表示パネル１０、およびその表示面側に透明導電膜１３ａ，１３ｂを形成し、それらをアース接続する態様について説明したが、本実施形態では、それらに加えて、バックライト照明装置２０を構成する各部品の一方の面に透明導電膜を成膜し、それぞれをアース接続するようにしたものである。
【００６３】
バックライト照明装置２０は、液晶表示パネル１０側から下方向へ順に、第２の拡散シート４０、プリズムの稜線が互いに直交する方向に配置された第１および第２のプリズムシート４１，４２、第１の拡散シート４３、導光板１１および反射シート１４が配置されており、導光板１１の側部に光源部１５が配設されている。
【００６４】
又、各構成部品である第２の拡散シート４０、第１および第２のプリズムシート４１，４２、第１の拡散シート４３、導光板１１および反射シート１４の、図における上側の面に透明導電膜１３ｃがそれぞれ形成されている。
【００６５】
尚、図においては、説明を解りやすくするため、第２の拡散シート４０、第１および第２のプリズムシート４１，４２、第１の拡散シート４３、導光板１１および反射シート１４は、互いに離間した状態で示されているが、これら各構成部品は、液晶装置１００を、導電性を有する枠部材（図示せず）内に組み込んだ際に、互いに接するように構成されている。
【００６６】
このような構成では、枠部材が導電性を有しているため、この枠部材に対して各構成部品である第２の拡散シート４０、第１および第２のプリズムシート４１，４２、第１の拡散シート４３、導光板１１および反射シート１４に形成されている透明導電膜１３ｃを面接触させた状態で組み込む。そして、この枠部材を筐体２００に設けられているアース回路に接続することで、各透明導電膜１３ｃをアース接続する。
【００６７】
その結果、バックライト照明装置２０を構成する各部品に電荷が蓄積されず、静電気ノイズを有効に除去することができる。尚、この場合、バックライト照明装置２０を構成する各構成部品である第２の拡散シート４０、第１および第２のプリズムシート４１，４２、第１の拡散シート４３、導光板１１および反射シート１４を形成するに際し、各構成部品である第２の拡散シート４０、第１および第２のプリズムシート４１，４２、第１の拡散シート４３、導光板１１および反射シート１４に透明導電部材を練り込むようにすれば、透明導電膜１３ｃが不要となり、しかも、透明導電膜１３ｃを成膜した場合と同等、或いはそれ以上の効果を得ることができる。
【００６８】
［電子機器の実施形態］
次に、上述した第１〜第７実施形態の液晶装置１００を適用可能な電子機器の具体例について図１２を参照して説明する。図１２には液晶装置１００を電子機器の代表である携帯電話機の表示部に適用した場合の斜視図が示されている。
【００６９】
同図に示すように、携帯電話機の筐体２００には、複数の操作ボタン２０１のほか、受話口２０２、送話口２０３と共に、液晶装置１００が組み込まれた表示部２００ａを備えている。尚、この表示部２００ａは、第３実施形態の観察窓２００ａに相当する。
【００７０】
この場合、本発明に係る液晶装置１００を適用可能な電子機器としては、携帯電話機以外に、パーソナルコンピュータのモニタや液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ等がある。
【産業上の利用可能性】
【００７１】
本発明による電気光学装置は、上述した実施形態に限るものではなく、請求の範囲および明細書全体から読み取れる発明の要旨、あるいは思想に反しない範囲で適宜変更可能であり、そのような変更を伴う電気光学装置およびその製造方法並びに電子機器もまた、本発明の技術的範囲に含まれるものである。
【図面の簡単な説明】
【００７２】
【図１】第１実施形態による液晶装置の平面図。
【図２】同、図１のＡ−Ａ’断面図。
【図３】同、図１のＢ−Ｂ’断面図。
【図４】同、液晶装置のサブ画素を示し、（ａ）はその断面図、（ｂ）はその平面図。
【図５】第２実施形態による液晶装置の断面図。
【図６】第３実施形態による液晶装置の断面図。
【図７】第４実施形態による液晶装置の断面図。
【図８】第５実施形態による液晶装置の平面図。
【図９】第６実施形態による液晶装置の断面図。
【図１０】第６実施形態の変形例による液晶装置の平面図。
【図１１】第７実施形態によるバックライト照明装置の分解断面図。
【図１２】本発明の液晶装置を適用した電子機器の概略斜視図。
【図１３】従来の液晶装置の要部拡大断面図。
【符号の説明】
【００７３】
１…ＡＲ基板、１ａ…配線、２…ＣＦ基板、４…液晶、５…共通電極、８…画素電極、１０…液晶表示パネル、１３ａ，１３ｂ…透明導電膜、１７…カバーガラス、１８…透明接着層、１００…液晶装置、２００…筐体、２００ａ…観察窓（表示部）、２００ｃ…導電膜。
【図１】
2008233853.tif 000003
【図２】
2008233853.tif 000004
【図３】
2008233853.tif 000005
【図４】
2008233853.tif 000006
【図５】
2008233853.tif 000007
【図６】
2008233853.tif 000008
【図７】
2008233853.tif 000009
【図８】
2008233853.tif 000010
【図９】
2008233853.tif 000011
【図１０】
2008233853.tif 000012
【図１１】
2008233853.tif 000013
【図１２】
2008233853.tif 000014
【図１３】
2008233853.tif 000015